(57)【要約】【課題】  室内の殺菌・清浄度確保・汚れ防止・脱臭等のために洗浄できるとともに気密性に配慮した洗浄可能な部屋構造及び部屋の洗浄方法を提供する。【解決手段】  この洗浄可能な部屋構造は、洗浄に使用した洗浄水を排出するための排水口１１〜１４を部屋の隅に設け、部屋内の空気を清浄化するために床面側の吸引部３１から空気を吸引し天井側の排出部３７から排出するように空気清浄ユニット２１〜２４を部屋の隅に設け、空気清浄ユニットは吸引部の近傍に排水口が位置し床面において排水口に向けて気流が形成されるように配置されている。【選択図】  図２
2005325591.tif 000002
【特許請求の範囲】
【請求項１】
洗浄に使用した洗浄水を排出するための排水口を部屋の隅に設け、
前記部屋内の室圧の制御のための空気の流出を前記排水口を通して行うように構成したことを特徴とする洗浄可能な部屋構造。
【請求項２】
前記部屋内に室圧センサを配置し、前記室圧制御のための空気流出を前記排水口を通して空気吸引手段により行うように構成し、
前記室圧センサで検知した室圧に基づいて前記空気吸引手段を制御することを特徴とする請求項１に記載の洗浄可能な部屋構造。
【請求項３】
洗浄に使用した洗浄水を排出するための排水口を部屋の隅に設け、
部屋内の空気を清浄化するために床面側の吸引部から空気を吸引し天井側の排出部から排出するように空気清浄ユニットを部屋の隅に設け、
前記空気清浄ユニットは前記吸引部の近傍に前記排水口が位置し前記床面において前記排水口に向けて気流が形成されるように配置されていることを特徴とする洗浄可能な部屋構造。
【請求項４】
前記部屋の床面に勾配を設けないことを特徴とする請求項３に記載の洗浄可能な部屋構造。
【請求項５】
前記空気清浄ユニットは、その筐体が部屋の隅に収まるように構成され、床面から天井に向けて延びるような縦型構造を有し、
前記床面側から前記筐体内の縦方向にプレフィルタと吸引ファンと高性能フィルタとを備えていることを特徴とする請求項３または４に記載の洗浄可能な部屋構造。
【請求項６】
前記部屋の出入口用開口の下部及び上部にストッパ部を設け、出入口用ドアの下部及び上部が前記ストッパ部で押さえ付けられることで前記部屋を気密構造としたことを特徴とする請求項１乃至５のいずれか１項に記載の洗浄可能な部屋構造。
【請求項７】
前記出入口用開口の下部側のストッパ部は前記洗浄水が前記出入口用開口から漏れ出さないように床面から突き出ていることを特徴とする請求項６に記載の洗浄可能な部屋構造。
【請求項８】
洗浄に使用した洗浄水を排出するための排水口を部屋の隅に設け、
前記部屋の出入口用開口の下部及び上部にストッパ部を設け、出入口用ドアの下部及び上部が前記ストッパ部で押さえ付けられることで前記部屋を気密構造とし、
前記出入口用開口の下部側のストッパ部は前記洗浄水が前記出入口用開口から漏れ出さないように床面から突き出ていることを特徴とする洗浄可能な部屋構造。
【請求項９】
前記部屋の少なくとも壁の内装をフッ素樹脂製の耐水性シート材料から構成したことを特徴とする請求項１乃至８のいずれか１項に記載の洗浄可能な部屋構造。
【請求項１０】
前記部屋の壁の内装材と前記床面のシート材との接合面を曲面状に構成するとともに、樹脂材料または金属部材により前記接合面の端部を壁面に固定したことを特徴とする請求項１乃至９のいずれか１項に記載の洗浄可能な部屋構造。
【請求項１１】
前記部屋の出入口用開口に隣接して前室を設けたことを特徴とする請求項１乃至１０のいずれか１項に記載の洗浄可能な部屋構造。
【請求項１２】
前記部屋の出入口用開口にエアシャワー装置を設けたことを特徴とする請求項１乃至１１のいずれか１項に記載の洗浄可能な部屋構造。
【請求項１３】
請求項３，４または５に記載の洗浄可能な部屋構造を有する部屋を洗浄水で洗浄し、
前記空気清浄ユニットの作動で前記床面において前記排水口に向けて形成された気流により前記洗浄水を部屋の隅に設けた排水口に導いて排水することを特徴とする部屋の洗浄方法。
【発明の詳細な説明】
【技術分野】
【０００１】
本発明は、病室やクリーンルーム等に適用できる洗浄可能な部屋構造及び部屋の洗浄方法に関するものである。
【背景技術】
【０００２】
病院の病室内に設置されているベッドや医療器具は、殺菌等のために必要に応じて洗浄できるが、病室内自体を壁や天井を含めて殺菌や清浄度確保や汚れ防止や脱臭等のために洗浄することは一般的に困難なことが多い。また、病院内においては免疫力の弱った患者の感染症対策が要求されていることから、病室内の殺菌とともに病室内の気密性が要求されている。病室内の気密性は、各種病気の原因となる細菌やウイルスが病室内に持ち込まれること及び病室内から外部に持ち出されることを防止するために必要とされる。
【０００３】
また、室内の殺菌・清浄度確保・汚れ防止・脱臭及び気密性は、病室以外でも診察室や検査室等に対しても要求され、更に研究機関の動物実験室や製薬工場の充填室や食品工場の充填室などの他の目的のクリーンルームでも同様に要求されている。
【発明の開示】
【発明が解決しようとする課題】
【０００４】
本発明は、上述のような従来技術の問題に鑑み、室内の殺菌・清浄度確保・汚れ防止・脱臭等のために洗浄できるとともに気密性に配慮した洗浄可能な部屋構造及び部屋の洗浄方法を提供することを目的とする。
【課題を解決するための手段】
【０００５】
上記目的を達成するために、本発明による第１の洗浄可能な部屋構造は、洗浄に使用した洗浄水を排出するための排水口を部屋の隅に設け、前記部屋内の室圧の制御のための空気の流出を前記排水口を通して行うように構成したことを特徴とする。
【０００６】
この第１の洗浄可能な部屋構造によれば、部屋の隅に設けた洗浄水排出のための排水口を部屋使用時に部屋内の室圧制御のための空気流出に利用することができるので、部屋内に設ける孔を極力少なくすることができ、このため、部屋内の清浄度や室圧のコントロールがし易くなり、また洗浄時に漏水の可能性がなくなる。このように、室内の殺菌・清浄度確保・汚れ防止・脱臭等のために洗浄できるとともに気密性に配慮した部屋構造を実現できる。
【０００７】
上記第１の洗浄可能な部屋構造において前記部屋内に室圧センサを配置し、前記室圧制御のための空気流出を前記排水口を通して空気吸引手段により行うように構成し、前記室圧センサで検知した室圧に基づいて前記空気吸引手段を制御するように構成することが好ましい。
【０００８】
本発明による第２の洗浄可能な部屋構造は、洗浄に使用した洗浄水を排出するための排水口を部屋の隅に設け、部屋内の空気を清浄化するために床面側の吸引部から空気を吸引し天井側の排出部から排出するように空気清浄ユニットを部屋の隅に設け、前記空気清浄ユニットは前記吸引部の近傍に前記排水口が位置し前記床面において前記排水口に向けて気流が形成されるように配置されていることを特徴とする。
【０００９】
この第２の洗浄可能な部屋構造によれば、部屋の隅に設けた洗浄水排出のための排水口の近傍に空気清浄ユニットの吸引部があり、床面に排水口に向けて気流が形成されるので、その気流により洗浄水を排水口に導いて効率的に排水することができ、更に空気清浄ユニットにより室内の空気を循環しながら清浄できるので、部屋内の清浄度を確保できるとともに室圧のコントロールがし易くなる。このように、室内の殺菌・清浄度確保・汚れ防止・脱臭等のために洗浄できるとともに気密性に配慮した部屋構造を実現できる。
【００１０】
上記第２の洗浄可能な部屋構造において、空気清浄ユニットで形成された気流により洗浄水を排水口に導いて効率的に排水できるので、前記部屋の床面に勾配を設けない構造を実現できる。このため、出入り口等において段差ができず、バリアフリーの観点から好ましい。
【００１１】
また、前記空気清浄ユニットは、その筐体が部屋の隅に収まるように構成され、床面から天井に向けて延びるような縦型構造を有し、前記床面側から前記筐体内の縦方向にプレフィルタと吸引ファンと高性能フィルタとを備えることで、部屋内の清浄度を確実に確保でき、また空気清浄ユニットを部屋の隅に収まるように設置できるので、部屋の隅部がなくなり、塵埃が滞留せずに清浄度を向上できる。高性能フィルタとしては、例えば、ＨＥＰＡフィルタ、ＵＬＰＡフィルタ、殺菌フィルタ等がある。
【００１２】
上記第１、第２の洗浄可能な部屋構造において、前記部屋の出入口用開口の下部及び上部にストッパ部を設け、出入口用ドアの下部及び上部が前記ストッパ部で押さえ付けられることで前記部屋を気密構造とすることが好ましい。これにより、部屋の気密性を確実にすることができる。
【００１３】
この場合、前記出入口用開口の下部側のストッパ部は前記洗浄水が前記出入口用開口から漏れ出さないように床面から突き出ていることが好ましい。これにより、部屋内の洗浄水が廊下や他の部屋等に漏れ出さないので、他の空間の汚染防止の観点から好ましい。
【００１４】
本発明による第３の洗浄可能な部屋構造は、洗浄に使用した洗浄水を排出するための排水口を部屋の隅に設け、前記部屋の出入口用開口の下部及び上部にストッパ部を設け、出入口用ドアの下部及び上部が前記ストッパ部で押さえ付けられることで前記部屋を気密構造とし、前記出入口用開口の下部側のストッパ部は前記洗浄水が前記出入口用開口から漏れ出さないように床面から突き出ていることを特徴とする。
【００１５】
この第３の洗浄可能な部屋構造によれば、出入口用ドアの下部及び上部がストッパ部で押さえ付けられることで部屋を気密構造とすることにより、部屋の気密性を確実にすることができるとともに、洗浄時に洗浄水を部屋の隅に設けた排水口から排水するときに、排水口からの排水が一時的に滞った場合でも、下部側のストッパ部が床面から突き出ており、部屋内の洗浄水が廊下や他の部屋等に漏れ出さないので、他の空間の汚染防止を図ることができる。
【００１６】
上記第１乃至第３の洗浄可能な部屋構造において前記部屋の少なくとも壁の内装をフッ素樹脂製の耐水性シート材料から構成することで、壁面をも洗浄水で洗浄することができる。また、壁及び天井をフッ素樹脂製の耐水性シート材料で内装することが好ましい。
【００１７】
また、前記部屋の壁の内装材と前記床面のシート材との接合面を曲面状に構成するとともに、樹脂材料または金属部材により前記接合面の端部を壁面に固定することが好ましい。
【００１８】
また、前記部屋の出入口用開口に隣接して前室を設けることで、部屋における外部からの汚染防止を図ることができる。この場合、前室内に空気清浄ユニットやエアシャワーユニットを配置することが好ましい。
【００１９】
また、前記部屋の出入口用開口にエアシャワー装置を設けることで、部屋に出入りする人体に付着した塵等を効果的に除去できるので、部屋内の汚染等の防止に効果的である。また、前室にエアシャワー装置を設けるだけで部屋内の汚染防止に効果があるので、前室の省スペース化を図ることができる。
【００２０】
なお、上述の排水口は、洗浄水の排水効率の観点から部屋の各隅にそれぞれ設けることが好ましく、部屋の平面構成が四角形状であれば四隅にそれぞれ設けることが好ましい。
【００２１】
本発明による部屋の洗浄方法は、上述の第２の洗浄可能な部屋構造を有する部屋を洗浄水で洗浄し、前記空気清浄ユニットの作動で前記床面において前記排水口に向けて形成された気流により前記洗浄水を部屋の隅に設けた排水口に導いて排水することを特徴とする。
【００２２】
この部屋の洗浄方法によれば、排水口の近傍に設けられた空気清浄ユニットの吸引部により床面に排水口に向けて気流が形成されるので、その気流により洗浄水を排水口に導いて効率的に排水することができ、更に空気清浄ユニットにより室内の空気を循環しながら清浄できるので、部屋内の清浄度を確保できるとともに室圧のコントロールがし易くなる。このように、室内の殺菌・清浄度確保・汚れ防止・脱臭等のために洗浄できるとともに気密性を確保できる。
【発明の効果】
【００２３】
本発明の洗浄可能な部屋構造及び部屋の洗浄方法によれば、室内の殺菌・清浄度確保・汚れ防止・脱臭等のために洗浄できるとともに気密性を確保できる。
【発明を実施するための最良の形態】
【００２４】
以下、本発明を実施するための最良の形態について図面を用いて説明する。
【００２５】
〈第１の実施の形態〉
【００２６】
図１は第１の実施の形態による部屋構造を説明するための部屋の概略的な側面図（ａ）及び平面図（ｂ）である。
【００２７】
図１（ａ）、（ｂ）に示すように、平面的に略四角形の部屋１の四隅の床面２には、排水口１１，１２，１３，１４が設けられており、部屋１内を洗浄水で洗浄したとき、その洗浄水を排水口１１から１４を通して外部に排水できる。部屋１の床面２は熱硬化性樹脂等の樹脂材料からなる樹脂シートで覆われている。
【００２８】
また、部屋１の壁面３及び天井４にはフッ素樹脂製の耐水性紙で内装が施されているため、床面２のみならず壁面３及び天井４をも洗浄水で洗浄可能であり、壁面３や天井４に付着した微生物や細菌やウイルスを簡単に除去し排出できる。また、壁面３は部屋１の四隅において曲面状壁面３ａ、３ｂ、３ｃ、３ｄに構成されている。これにより、部屋１には角張った隅部がなくなり、曲面状壁面３ａ〜３ｄにおいて塵埃が滞留せずに清浄度を向上でき、好ましい。
【００２９】
また、図１（ａ）のように、排水口１２には、洗浄水等の排水のために排水管１５が連結されており、鉛直下側方向ａに排水できるとともに、部屋１内の空気を排水口１２を通して流出させるために、排水管１５から分岐して延びた配管１６に送風機１７が接続されており、送風機１７により配管１８を通して空気を水平方向ｂに送り出すことができる。
【００３０】
また、部屋１は密閉構造に構成されており、部屋１の壁面３には、部屋１内の室圧を検知する室圧センサ１９が配置され、図１（ａ）の破線のように室圧センサ１９で検知した室圧に基づいて送風機１７を制御することで部屋１内の室圧を制御するようになっている。なお、室圧センサ１９は天井４に配置してもよい。
【００３１】
上述の図１の部屋構造によれば、部屋１内を殺菌・清浄度確保・汚れ防止・脱臭などのために洗浄水で洗浄したとき、部屋の四隅に設けた複数の排水口１１〜１４から洗浄水を効率的に排出できるとともに、部屋１の通常の使用時に室圧センサ１９で検知した室圧に基づいて送風機１７を制御し、部屋１から空気を吸い込んで流出させる場合は、排水口１２、排水管１５、配管１６、配管１８を通して空気を送風機１７により方向ｂへと流出させる。このように、洗浄水の排水のために設けた排水口１２を部屋１内の室圧制御に利用でき兼用できるので、部屋１内に空気流出口等を別に設ける必要がなくなり、部屋１内に設ける孔を極力少なくすることができ、このため、部屋内の清浄度や室圧のコントロールがし易くなり、また、洗浄時に空気流出口への漏水の可能性がなくなる。このように、部屋１を洗浄することで室内の殺菌・清浄度確保・汚れ防止・脱臭等を図ることができるとともに気密性に配慮した部屋構造を実現できる。
【００３２】
なお、図１では、排水口１２を送風機１７による空気流出の通路に利用したが、他の排水口１１，１３，１４を利用してもよいことは勿論であり、複数の排水口を利用してもよい。
【００３３】
〈第２の実施の形態〉
【００３４】
図２は第２の実施の形態による部屋構造を説明するための部屋の概略的な側面図（ａ）及び平面図（ｂ）である。図３は図２の空気清浄ユニットを示す斜視図である。図４は図３の空気清浄ユニットの内部構成を概略的に示す斜視図である。なお、図２において図１と同じ部分には同じ符号を付けてその説明は省略する。
【００３５】
図２（ａ）、（ｂ）に示すように、平面的に略四角形の部屋８の四隅には部屋８内の空気を清浄化するために空気清浄ユニット２１，２２，２３，２４が設けられている（図１（ａ）には説明の便宜上、空気清浄ユニット２１のみ図示している。）。空気清浄ユニット２１〜２４により床面２側の吸引口３１から部屋８内の空気を吸引し清浄化し、清浄化した空気を天井４側の排出部３７から部屋８内に排出して循環させるようにして清浄化する。
【００３６】
図３のように、空気清浄ユニット２１は、床面２側から天井４側に向けて縦方向に、除塵プレフィルタ３２と、吸音ダクト３３と、吸引ファン３４と、吸音ダクト３５と、ＨＥＰＡフィルタ３６と、を筐体３０内に備えている。吸引口３１が筐体３０の最下部で床面２に対し開口しており、また、ＨＥＰＡフィルタ３６の前面側に清浄化された空気の排出部３７が設けられている。また、吸音ダクト３５の前面には、蛍光灯ランプ３９が設けられ、また吸引ファン３４や蛍光灯ランプ３９のスイッチ３８が設けられている。
【００３７】
図２（ｂ）、図３のように、空気清浄ユニット２１〜２４の筐体３０は、部屋８の隅部の形状と適合するように縦型構造に構成され、床面２に平行な断面が略直角三角形状になるように構成されている。各筐体３０の吸引口３１の下方近傍には各排出口１１〜１４がそれぞれ位置している。このように、空気清浄ユニット２１〜２４を部屋８の隅に収まるように設置できるので、部屋８の隅部において塵埃が滞留せずに清浄度を向上できる。なお、部屋８の四隅は、図１（ｂ）と同様に曲面状壁面に構成することが好ましい。
【００３８】
図４のように、空気清浄ユニット２１〜２４の各筐体３０内には、円筒状にそれぞれ構成されたプレフィルタ３２と吸引ファン３４とＨＥＰＡフィルタ３６とが縦方向に配置されている。なお、ＨＥＰＡフィルタ３６の代わりに、ＨＥＰＡフィルタよりも捕集率の優れたＵＬＰＡフィルタまたはフィルタに付着した微生物を死滅させる殺菌フィルタ等を配置してもよい。
【００３９】
図２（ａ）、（ｂ）、図３のように、空気清浄ユニット２１〜２４が作動すると、床面２側の吸引口３１から空気を方向ｃに吸い込み、筐体３０内で除塵され除菌された空気を方向ｄに天井４側の排出部３７から排出することで部屋８内の空気を清浄化するとともに、吸引口３１からの空気の吸い込みにより床面２において気流が各気流方向Ａ，Ｂ，Ｃ，Ｄに各排水口１１〜１４に向けて形成される。
【００４０】
上述の図２〜図４の部屋構造によれば、部屋８内を殺菌・清浄度確保・汚れ防止・脱臭などのために洗浄水で洗浄したとき、空気清浄ユニット２１〜２４の作動で部屋８の四隅に設けた各排水口１１〜１４に向けて各気流方向Ａ，Ｂ，Ｃ，Ｄに形成された気流により、その洗浄水を各排水口１１〜１４に自動的に導いて効率的に排水することができる。更に、通常時には空気清浄ユニット２１〜２４により室内の空気を循環しながら清浄化できるので、部屋内の清浄度を確保できるとともに、外部の空気を取り入れて清浄化しないので、部屋の密閉性を維持でき、室圧のコントロールがし易くなる。このように、室内の殺菌・清浄度確保・汚れ防止・脱臭等のために洗浄できるとともに気密性に配慮した部屋構造を実現できる。
【００４１】
また、上述のように、各空気清浄ユニット２１〜２４で形成された気流により洗浄水を各排水口１１〜１４に自動的に導いて効率的に排水できるので、排水のために床面２に勾配を設けない構造を実現できる。このため、部屋８の出入り口等において段差が形成されないので、バリアフリー構造を実現できる。
【００４２】
〈第３の実施の形態〉
【００４３】
図５は第３の実施の形態による部屋構造を説明するために部屋の構成を概略的に示す斜視図である。図６は図５の部屋の出入口用開口の気密構造を示す側断面図である。なお、図５において図２と同じ部分には同じ符号を付けてその説明は省略する。
【００４４】
図５に示すように、平面的に略四角形の部屋９の四隅には部屋８内の空気を清浄化するために空気清浄ユニット２１〜２４が設けられ、部屋９の四隅の空気清浄ユニット２１〜２４の近傍の床面２に排水口１１〜１４が設けられている。部屋８内には、ベッドＢ１，Ｂ２が設置されており、また、壁面３には複数の窓Ｗ１，Ｗ２，Ｗ３が設けられている。
【００４５】
図５のように、部屋９の出入口用開口の開閉のためにドア４６が設けられており、部屋９にはドア４６を挟んで前室４０が配置されている。前室４０内には、その四隅に上述の空気清浄ユニット２１と同様の空気清浄ユニット４１，４２，４３，４４が設けられることで前室４０内を同様に清浄化でき、部屋９内における外部からの汚染防止に寄与できる。また、前室４０内には洗面器４５が設置されている。なお、前室４０には図５の方向Ｆからアクセス可能であるが、例えば、空気清浄ユニット４３，４４の代わりに、公知のエアシャワーユニットを配置してもよく、前室４０内における外部からの汚染を防止することで部屋９内の汚染防止に寄与できる。
【００４６】
図５のように、部屋９の出入口用開口を開閉するドア４６は回動方向ｒに開きその反対方向に閉まるが、図６のように、出入口用開口の床面２には床面２が突き出た下部ストッパ部４７が前室４０側に設けられ、また、上部に上部ストッパ部４８が部屋９側に設けられている。ドア４６を図５のように閉めたとき、図６の破線のように、ドア４６はドア４６の上下で上部ストッパ部４８及び下部ストッパ部４７に押さえ付けられるように若干傾いて締め付けられるようになっており、部屋９内の気密性を確保できる。また、下部ストッパ部４７が床面２から突き出ていることで、洗浄時に部屋９内の洗浄水が出入口用開口から漏れ出さないようになっている。
【００４７】
上述の図２〜図４の部屋構造によれば、部屋１内を殺菌・清浄度確保・汚れ防止・脱臭などのために洗浄水で洗浄し、洗浄水を部屋の隅に設けた各排水口１１〜１４から排水するとき、その排水が一時的に滞った場合でも、下部ストッパ部４７により部屋９内の洗浄水が廊下や他の部屋等に漏れ出さないので、他の空間の汚染防止を図ることができる。また、ドア４６を閉めたとき出入口用開口を気密構造にできるので、部屋９を気密構造にでき、部屋９の気密性を確実に得ることができる。
【００４８】
次に、図５、図６のドアの気密構造の変形例について図７を参照して説明する。図７は、図５、図６のドアの気密構造の変形例を示す図であり、ドアを閉めた状態を示す側断面図（ａ）、ドアを引き上げた状態を示す側断面図（ｂ）、ドアを開いた状態を示す側断面図（ｃ）、ドアを閉めた状態を示す上面図（ｄ）及びドアを開いた状態を示す上面図（ｅ）である。
【００４９】
図７（ａ）乃至（ｅ）に示すように、下側ストッパ部４９は突起部に構成され、この突起部にはドア４６の下端部が入り込むことのできる溝部４９ａが形成されている。図７（ａ）、（ｄ）のように、ドア４６を閉めたとき、ドア４６の上部がストッパ部４８に当接しながらドア４６の下端部が溝部４９ａに入り込むことで、出入口用開口を閉め、部屋９内を密閉構造にできる。ドア４６を開くときは、図７（ｂ）のように、ドア４６を引き上げてドア４６の下端部を溝部４９ａから抜き出してからドア４６を回動して開放することで、図７（ｃ）、（ｅ）のように、部屋９の出入口用開口を開くことができる。
【００５０】
図７のドアの気密構造によれば、ドア４６の下端部を溝部４９ａで両側から押さえ付けるので、部屋９の密閉性がよく、しかも下側ストッパ部４９の高さを図６の下部ストッパ部４７よりも洗浄水が漏れない程度に低くできる。
【００５１】
上述の第１乃至第３の実施の形態における各部屋は気密性を維持し室圧を制御できるが、その室圧は、部屋外部からの内部汚染の防止が必要な場合は、外気圧よりも数十Ｐａ程度高めにすることが好ましく、一方、部屋内部からの外部汚染の防止が必要な場合は、外気圧よりも数十Ｐａ程度低めにすることが好ましい。
【００５２】
以上の第１乃至第３の実施の形態における各部屋構造は、例えば、病院内の病室に適用することが好ましく、病室内自体を洗浄することが可能となるとともに病室内の気密性を得ることができるので、病室について殺菌や清浄度確保や汚れ防止や脱臭の各対策を施すことができ、また、病室内への細菌やウイルスの持ち込みによる内部汚染、及び、病室外への漏れによる外部汚染を防止できる。
【００５３】
次に、上述の第１乃至第３の実施の形態において、部屋の壁の内装材と床面のシート材との接合面の構成及び固定構造の好ましい態様について図８，図９を参照して説明する。図８は図１，図２，図５の部屋の壁と床面との接合面を示す要部側断面図（ａ）、（ｂ）、（ｃ）である。図９は従来の部屋の壁と床面との接合面を示す要部側断面図（ｄ）、（ｅ）である。
【００５４】
図８（ａ）のように、床面２を覆うように設けた樹脂シート２ａと、壁面３に貼り付けられたフッ素樹脂製の耐水性壁紙５は、それらの端部において、樹脂シート２ａが上側になるようにして重ね合わせられて接合されており、その接合面５０が曲面状に構成されている。接合面５０では樹脂シート２ａの端部が床面２から若干離れて上部の壁面３において樹脂材料により固定されて固定部５１が形成されている。この固定部５１により接合面５０で洗浄水が漏れることを防止できる。また、接合面５０が曲面状に構成されることで、部屋の隅に塵埃が滞留し難くなり、清浄度確保の点から好ましい。
【００５５】
また、図８（ｂ）のように、曲面状の接合面５０で樹脂シート２ａの端部が幅木兼用の金属部材５２により固定されており、この金属部材５２により接合面５０で洗浄水が漏れることを防止できる。
【００５６】
また、図８（ｃ）のように、図８（ｂ）の金属部材５２を覆うように、ステンレス鋼やアルミニウム等の金属材料や樹脂材料からなる嵌め込み幅木５３を設けることで、部屋内で台車や移動ベット等が壁面３に当たったときに金属部材５２による固定部を保護することができる。なお、図８（ｃ）の構成は図８（ａ）に適用して樹脂材料による固定部５１を保護するようにしてもよい。
【００５７】
従来までは図９（ａ）のように、接合面の樹脂シート２ａの端部をテープ９１で押さえていたが、テープ９１が剥がれ易く、剥がれてしまうと、洗浄水の漏れが生じてしまい、また図９（ｂ）のように接合面の樹脂シート２ａの端部に幅木９２を設けて固定する場合にはビス９３によるビス止めが必要であり、ビス止め部で漏水の可能性が生じたのに対し、図８（ａ）〜（ｃ）によれば、床面２の樹脂シート２ａと、壁面３のフッ素樹脂製の耐水性壁紙５との端部における接合面５０の樹脂シート２ａの端部を強固に固定しまた保護できるので、洗浄水の漏れを確実に防止できる。
【００５８】
次に、上述の第１乃至第３の実施の形態の各部屋の出入口用開口にエアシャワー装置を配置した例について図１０を参照して説明する。図１０は部屋１，８または９の前室にエアシャワー装置を配置した例を示す側断面図（ａ）及び平面図（ｂ）である。
図１０（ａ）、（ｂ）のように、部屋１，８または９の前室５０内に設けられたエアーシャワー装置は、例えば、本発明者が他の発明者とともに特許第３４８３４７０号特許公報で開示したものを用いることができ、前室６０内の四隅に設けたエアー吹出部６３と、床面と天井に設けられた吸込口６６、６７と、を備え、吸込口６６、６７に吸込ファン（図示省略）がそれぞれ設置されている。エアー吹出部６３は、図１０（ｂ）のように、各吹出口から一方向に流れた気流が各側壁に衝突し反射して前室６０の中心方向への流れになり、図１０（ａ）のように旋回気流６５が発生するように構成されている。
【００５９】
前室６０は出入口６１で人が出入り可能な大きさを有し、扉４６を通して部屋１，８または９に対し出入りできる。出入口６１から人が前室６０内に入ると、旋回気流６５により人に付いた塵を取り去り、人の下半身から離れた塵がより近い床面の吸込口６６から吸い込まれ、上半身から離れた塵がより近い天井面の吸込口６７から吸い込まれることで、人に付いた塵を効率的に除去でき、部屋１，８または９内の汚染防止に効果的である。また、前室にエアシャワー装置を設けるだけで部屋内の汚染防止に効果があるので、前室を小型化でき、前室の省スペース化を実現できる。
【００６０】
以上のように本発明を実施するための最良の形態について説明したが、本発明はこれらに限定されるものではなく、本発明の技術的思想の範囲内で各種の変形が可能である。例えば、図１，図２の各部屋１，８において、図５のドア４６で開閉される出入口用開口に図６と同様のストッパ構造を設け各部屋１，８内の気密性を確保するようにしてもよく、また、各部屋１，８に図５と同様の前室を設けることが好ましい。また、図１の部屋１に図２の部屋構造を加えるように構成してもよいことは勿論である。
【００６１】
また、上述の第１乃至第３の実施の形態における各部屋構造は、病院内の入院患者用の病室に適用して好ましいのみならず、室内の殺菌・清浄度確保・汚れ防止・脱臭または気密性等が要求される他用途の部屋にも適用して好ましいことは勿論であり、例えば、病院や医療検査施設等における診察室、検査室、集中治療室、手術室、日帰り手術室、隔離病室（感染症病室）、火傷患者用の回復室等に適用して好ましい。更に、研究機関の動物実験室や、異物混入及び微生物の影響を避ける必要のある製薬工場の充填室や食品工場の充填室などの他の目的のクリーンルームにも適用できる。
【００６２】
また、上述の第１乃至第３の実施の形態における部屋の洗浄には、高圧蒸気洗浄やアルコール洗浄や希釈した次亜塩素酸ソーダによる洗浄等を用いることができるが、これらに制限されるものではない。
【図面の簡単な説明】
【００６３】
【図１】第１の実施の形態による部屋構造を説明するための部屋の概略的な側面図（ａ）及び平面図（ｂ）である。
【図２】第２の実施の形態による部屋構造を説明するための部屋の概略的な側面図（ａ）及び平面図（ｂ）である。
【図３】図２の空気清浄ユニットを示す斜視図である。
【図４】図３の空気清浄ユニットの内部構成を概略的に示す斜視図である。
【図５】第３の実施の形態による部屋構造を説明するために部屋の構成を概略的に示す斜視図である。
【図６】図５の部屋の出入口用開口の気密構造を示す側断面図である。
【図７】図５、図６のドアの気密構造の変形例を示す図であり、ドアを閉めた状態を示す側断面図（ａ）、ドアを引き上げた状態を示す側断面図（ｂ）、ドアを開いた状態を示す側断面図（ｃ）、ドアを閉めた状態を示す上面図（ｄ）及びドアを開いた状態を示す上面図（ｅ）である。
【図８】図１，図２，図５の部屋の壁と床面との接合面を示す要部側断面図（ａ）、（ｂ）、（ｃ）である。
【図９】従来の部屋の壁と床面との接合面を示す要部側断面図（ｄ）、（ｅ）である。
【図１０】部屋１，８または９の前室にエアシャワー装置を配置した例を示す側断面図（ａ）及び平面図（ｂ）である。
【符号の説明】
【００６４】
１，８，９ 部屋
２ 床面
２ａ 樹脂シート
３ 壁面
３ａ〜３ｄ 曲面状壁面
４ 天井
５ フッ素樹脂製の耐水性壁紙（耐水性シート材料）
１１〜１４ 排水口
１２ 排水口
１５ 排水管
１７ 送風機（空気吸引手段）
１９ 室圧センサ
２１〜２４ 空気清浄ユニット
３０ 筐体
３１ 吸引口
３２ プレフィルタ
３２ 除塵プレフィルタ
３４ 吸引ファン
３６ ＨＥＰＡフィルタ
３７ 排出部
４０ 前室
４６ ドア
４７ 下部ストッパ部
４８ 上部ストッパ部
４９ 下側ストッパ部
４９ａ 溝部
５０ 接合面
５１ 固定部
５２ 金属部材
５３ 幅木
６０ 前室
６３ エアー吹出部
６６、６７ 吸込口
Ａ，Ｂ，Ｃ，Ｄ 各気流方向
【図１】
2005325591.tif 000003
【図２】
2005325591.tif 000004
【図３】
2005325591.tif 000005
【図４】
2005325591.tif 000006
【図５】
2005325591.tif 000007
【図６】
2005325591.tif 000008
【図７】
2005325591.tif 000009
【図８】
2005325591.tif 000010
【図９】
2005325591.tif 000011
【図１０】
2005325591.tif 000012